(57)【特許請求の範囲】
【請求項１】
コーディネータ装置から端末装置に測定要求を送信するステップであって、前記測定要求は、ミリ波無線チャネルの測定を実行するよう、前記端末装置に指示する、ステップと；
前記要求に対する応答を、前記コーディネータ装置において受信するステップであって、前記応答は、前記測定に対応する値を有する、ステップと；
前記値の少なくとも一部に基づいて、無線リソースを割り当てるステップと；
を有し、
前記測定要求は、前記測定のための少なくとも一つのタイミングパラメータと、前記端末装置が前記測定を指示する装置とを示す、
方法。
【請求項２】
前記測定要求は更に：
ビームの識別であって、該ビームを介して前記端末装置が前記一つ以上の測定を実行する、ビームの識別と；
を含む、請求項１記載の方法。
【請求項３】
前記少なくとも一つのタイミングパラメータは、前記一つ以上の測定のための起動時刻を含む、請求項１記載の方法。
【請求項４】
前記少なくとも一つのタイミングパラメータは、測定期間の長さと、前記測定期間の間になされる測定の数と、を更に含む請求項３記載の方法。
【請求項５】
前記測定要求は、前記測定のための測定タイプを示す、請求項１記載の方法。
【請求項６】
前記測定タイプは、平均ノイズ及び干渉パワーインジケータ（ＡＮＩＰＩ）である、請求項５記載の方法。
【請求項７】
前記測定タイプは、受信信号ノイズインジケータ（ＲＳＮＩ）である、請求項５記載の方法。
【請求項８】
前記無線リソースを割り当てるステップは、時間間隔の中で一つ以上のタイムスロットを割り当てるステップ、を更に含む請求項１記載の方法。
【請求項９】
装置であって：
無線信号を一つ以上のリモート装置と交換する送受信モジュールと；
前記送受信モジュールを介してコーディネータ装置から受信される測定要求メッセージに従って、無線チャネルの一つ以上の測定を実行する測定モジュールと；
リモート装置からの測定の値の少なくとも一部に基づいて、無線リソースを割り当てる割り当モジュールと；
を有し、
前記測定要求は、前記測定のための少なくとも一つのタイミングパラメータと、当該装置が前記測定を指示する前記リモート装置とを示す、
装置。
【請求項１０】
前記測定モジュールは、前記送受信モジュールを介して、測定レポートを前記リモート装置に送信し、前記レポートは、前記一つ以上の測定の各々に対する測定値を含む、請求項９記載の装置。
【請求項１１】
前記測定要求は更に：
ビームの識別であって、該ビームを介して前記リモート装置が前記一つ以上の測定を実行する、ビームの識別と；
を含む、請求項９記載の装置。
【請求項１２】
前記少なくとも一つのタイミングパラメータは、前記一つ以上の測定のための起動時刻を含む、請求項９記載の装置。
【請求項１３】
前記少なくとも一つのタイミングパラメータは、測定期間の長さと、前記測定期間の間になされる測定の数と、を更に含む請求項１２記載の装置。
【請求項１４】
前記測定要求は、一つ以上の前記測定のための測定タイプを示す、請求項９記載の装置。
【請求項１５】
前記測定タイプは、平均ノイズ及び干渉パワーインジケータ（ＡＮＩＰＩ）である、請求項１４記載の装置。
【請求項１６】
前記測定タイプは、受信信号ノイズインジケータ（ＲＳＮＩ）である、請求項１４記載の装置。
【請求項１７】
無線信号を一つ以上の端末装置と交換する送受信モジュールと；
リソース割り当てモジュールであって、
前記送受信モジュールを介して、測定要求を第１の端末装置に送信し、前記測定要求は、前記第１の端末装置に無線チャネルの測定を実行することを指示し、かつ、
前記測定要求に応答して、測定レポートを受信し、前記レポートは、前記測定に対応する測定された値を含む、
リソース割り当てモジュールと；
を有し、
前記測定要求は、前記測定のための少なくとも一つのタイミングパラメータと、及び前記第１の端末装置が前記測定を指示する第２の端末装置とを示す、
装置。
【請求項１８】
前記リソース割り当てモジュールは、少なくとも前記測定レポートに基づいて、無線リソースを割り当てる、請求項１７記載の装置。
【請求項１９】
前記無線リソースは、時間間隔の中のタイムスロットを含む、請求項１８記載の装置。
【発明の詳細な説明】
【技術分野】
【０００１】
本発明は、指向性無線ネットワークの無線リソース測定技術に関する。
【背景技術】
【０００２】
無線ネットワーク（例えば無線パーソナル・エリア・ネットワーク（ＷＰＡＮｓ））無線ローカル・エリア・ネットワーク（ＷＬＡＮ）及び／又は携帯電話ネットワークは、モバイル情報提供サービスの様々な機能を提供する。現在、無線ネットワークは、６０ＧＨｚの無線周波数（ＲＦ）バンドでの開発が行われている。かかるネットワークは、より高いデータレート、空間再使用（６０ＧＨｚの信号の指向性伝搬プロパティによって強化される）、指向性通信、干渉の更なる軽減、及びネットワーク安定性を提供することを目指している。
【０００３】
加えて、６０ＧＨｚの無線ネットワークで、例えば時分割多重アクセス（ＴＤＭＡ）を使用することが計画される。しかしながら、スケジューリングされたメディアアクセス技術は、通常は、コンテンションベースのメディアアクセス技術ほどロバストではない。例えば、搬送波感知多重アクセス／衝突回避方式（ＣＳＭＡ／ＣＡ）（ＩＥＥＥ８０２．１１ネットワークにおいて現在使用される）は、しばしば、伝送干渉を扱う場合、よりロバストである。
【０００４】
このように、スケジューリングされた（ｓｃｈｅｄｕｌｅｄ）ＭＡＣ技術（例えばＴＤＭＡ）が使用されるネットワークのロバスト性を担保することが望ましい。ロバスト性を高めるための１つの方策は、無線環境においてデバイス間で情報を交換することである。より具体的には、このような情報は、スケジューリングされた割り当てを提供し、ネットワークオペレーションのロバスト性を促進する。
【０００５】
図面において、同様の参照符号は、機能的に同じ又は同様の及び／又は構成上同様の要素を示す。図面に最初に描かれた要素の左側の数字はその図面番号を示す。図面を参照しながら本発明を以下に説明する。
【図面の簡単な説明】
【０００６】
【図１】動作環境の例を示す図である。
【図２】２つのデバイス間の伝送の例を示す図である。
【図３】フローチャートを示す図である。
【図４】チャネル品質ヒストグラム・要求・フォーマットの例を示す図である。
【図５】チャネル品質ヒストグラム・レポートフォーマットの例を示す図である。
【図６】デバイスのインプリメンテーションの例を示す図である。
【発明を実施するための形態】
【０００７】
実施例は、指向性をサポートする無線リソース測定（ＲＲＭ）及び予定されているメディアアクセス技術を提供する。例えば、実施例は、第１の装置から第２の装置に測定要求を送信し、第２の装置に対して無線チャネルの一つ以上の測定をするよう要求する。この測定要求は、一つ以上の測定のためのさまざまな特性を含んでもよい。例えば、測定要求は、一つ以上の測定のための少なくとも一つの指向性パラメータ及び少なくとも一つのタイミングパラメータを示してもよい。要求に応答して、第１の装置は、一つ以上の測定に対する各々の測定値を含む測定レポートを受信する。従来のＲＲＭ技術は、指向性及びスケジューリングされたアクセス（例えば、ＴＤＭＡ）をサポートしない。例えば、ＩＥＥＥ８０２．１１−２００７規格に対する改訂版、電気電子学会（ＩＥＥＥ）８０２．１１ｋは、ＲＲＭ方式を提供する。しかしながら、これらの方式は、ＣＳＭＡ／ＣＡ  ＭＡＣ及び全指向性の転送モードの前提で開発されてきた。「一実施例」又は「実施例」に対する本明細書の全体にわたる参照は、実施例に関連して記載されている特定の特長、構造又は特性が少なくとも一つの実施例に含まれることを意味する。このように、さまざまな場所における「一実施例において」又は「実施例において」という言及は、本明細書全体にわたって、全てが同じ実施例を必ずしも指しているというわけではない。さらにまた、特定の特長、構造又は特性は、一つ以上の実施例のいかなる適切な方法によって組み込まれてもよい。
【実施例】
【０００８】
図１は、本願明細書において記載されている技術を使用し得る典型的な動作環境１００のブロック図である。この環境は、中央制御装置（ＰＣＰ：ｃｅｎｔｒａｌ  ｃｏｎｔｒｏｌｌｅｒ  ｄｅｖｉｃｅ）１０２及び複数の端末（ＳＴＡ：ｓｔａｔｉｏｎｓ）１０４ａ−ｄを含む。これらのデバイスは、ハードウェア及び／又はソフトウェアのいかなる組合せで実現されてもよい。一般の動作において、これらのデバイスは、互いに無線で通信してもよい。更に、実施例で、これらのデバイスは、多重ビーム及び／又は指向送信を使用してもよい。
【０００９】
ＰＣＰ１０２はさまざまな制御操作を実行する。例えば、ＳＴＡ１０４ａ−ｄのためのリソース割り当てを含む。特に、ＰＣＰ１０２は、ＴＤＭＡフレーム（別名Ｂｅａｃｏｎ  Ｉｎｔｅｒｖａｌ又はＳｕｐｅｒｆｒａｍｅ）と呼ばれている反復する期間以内で、リソースを管理してもよい。これは、ＳＴＡ１０４ａ−ｄにＴＤＭＡフレーム内でタイムスロットを割り当てることが含まれてもよい。かかる割り当ては、空間再使用を使用してもよい。より詳細には、かかる割り当ては、時間的に（完全に、又は、部分的に）重複してもよい。
【００１０】
実施例において、ＰＣＰ１０２によってなされる割り当ては、ＳＴＡ１０４ａ−ｄから受信される要求に基づいてもよい。かかる割り当において、ＰＣＰ１０２は、ＳＴＡ１０４ａ−ｄの無線環境に関する特性を考慮してもよい。かかる特性の決定を含む詳細は後述する。
【００１１】
ＳＴＡ１０４ａ−ｄは、ＰＣＰ１０２によって実行されるリソース割り当てに従って、無線で通信してもよい。これらの通信は、ＳＴＡ１０４の間の送信が含まれてもよい。また、これらの通信は、ＰＣＰ１０２との送信を含んでもよい。例えば、ＰＣＰ１０２は、ＳＴＡの間の通信トラフィックを中継してもよい。更に、ＰＣＰ１０２は、ＳＴＡ１０４ａ−ｄの一つ以上の無線ネットワーク（例えば、インターネット及び／又は有線電話ネットワーク）へのアクセスを提供してもよい。
【００１２】
上述の通り、ＰＣＰ１０２は、ＳＴＡ１０４ａ−１０４ｄの無線環境に関する特性を考慮してもよい。かかる特性を測定するために、ＰＣＰ１０２は、ＳＴＡ１０４ａ−ｄから情報を集めてもよい。より詳細には、ＰＣＰ１０２は、要求をＳＴＡ１０４ａ−ｄに発信してもよい。かかる要求の各々は、受信しているＳＴＡに、特定の測定を処理することを要求してもよい。これに対して、受信したＳＴＡは、測定を処理し、かつＰＣＰ１０２へレポートを送信する。かかるレポートから、ＰＣＰ１０２は、干渉の軽減、ネットワークの安定化等のファクタを考慮したリソース割り当てを実行する。例えば、かかる受信されたレポートに基づいて、ＰＣＰ１０２は、空間再使用に係る割り当てがなされるべきかどうか決定してもよい。
【００１３】
かかる特長の例として、図１は、ＰＣＰ１０２が、測定要求１２０ａ及び１２０ｂをそれぞれＳＴＡ１０４ａ及び１０４ｂに送信していることを示している。これに応えて、ＳＴＡ１０４ａ及び１０４ｂは、ＰＣＰ１０２に測定レポート１２２ａ及び１２２ｂを送る。これらのメッセージは、例示のために示されるものであって、限定をするためのものではない。このように、メッセージは、ＳＴＡ１０４ａ−ｄのいかなる組合せ及び／又は順序で送信されてもよい。
【００１４】
実施例において、装置（例えば、ＰＣＰ１０２）は、特定のビームの分離の量（及びその他の情報）に基づいて、割り当てを行ってもよい。例えば、ビーム組合せは、無線リンクをサポートするために、十分に低い分離の量を呈しなければならない。更に、装置は、リソース（例えば、時間及び／又は周波数及び／又はスペース）を再利用する複数の割り当てを行うために、かかる分離情報を用いてもよい。より詳細には、かかる測定レポートに含まれる情報は、（干渉が効果的に管理されるように）各割り当ての間に高い分離を行うために用いられてもよい。様々な分離レベルの例は、図２を用いて述べる。図２は、２つのデバイスの間の例示的な無線設備を示すブロック図である。具体的には、図２は、第１の端末（「ＳＴＡＡ”）及び第２の端末（「ＳＴＡＢ”）を示している。これらの端末は、図１の場合として（例えば、各々が１つのＳＴＡ１０４ａ−ｄとして）使用されてもよい。
【００１５】
これらの端末の間に、多重ビームが存在する。例えば、図２は、ＳＴＡ  Ａは送信ビーム２０２ａ−ｃを提供することを示す。図２は、ＳＴＡ  Ｂが受信ビーム２０４ａ−ｃを提供することを示す。これらの特長は、説明のためのものであり、限定を目的としない。ビーム２０２ａ−ｃによって、ＳＴＡ  Ａは、一つ以上の指向送信を取り扱ってもよい。同様に、ビーム２０４ａ−ｃによって、ＳＴＡ  Ｂは、異なる方向からの送信を受信する。
【００１６】
図２は、ＳＴＡ  Ａ及びＳＴＡ  Ｂの間に送受信ビームの９個の異なる組合せを示す。これらの組合せの各々は、異なるレベルの分離を呈する。例えば、ビーム２０２ａと２０４ａの間は、低い量の分離となる。なぜなら、これらのビームは実質的に整列配置されて（又は重複して）いるからである。対照的に、ビーム２０２ｃと２０４ｃの間においては、高い分離の量となる。なぜなら、これらのビームは整列しておらず（又は重複してもいない）からである。実施例において、分離のかかるレベルは、端末（例えば、ＳＴＡ１０４ａ−ｄ）によって実行される測定によって決定されてもよい。かかる測定は、制御端末（例えば、ＰＣＰ１０２）によってなされる要求に応答してなされてもよい。
【００１７】
実施例の動作は、以下の図及び添付の実施例によって更に説明する。図のいくつかは、論理フローを含んでもよい。本出願において示される図は、特定の論理フローを含み得るが、この論理フローは、単に本願明細書において記載されている一般の機能がどのよう実行されるかという実施例を提供するだけであることに留意すべきである。更に、所定の論理フローは、特に明記しない限り、示される命令において、必ずしもその順に実行される必要があるというわけではない。加えて、所定の論理フローは、ハードウェア要素、プロセッサによって実行されるソフトウェア要素又はいかなるそれらの組み合わせによって実行されてもよい。実施例は、上記の例に限られるものではない。図３は、論理フローの例を示している。特に、図３は論理フロー３００を示す。そして、それは一つ以上の実施例によって実行される動作を例示している。このフローは、図１を基にして記載されている。なお、このフローは、他の実施例において使用されてもよい。
【００１８】
第１のブロック３０２で、第１の装置は、無線で第２の装置に測定要求を送る。この要求は、第２の装置が一つ以上の無線チャネルを測定することを指示する。第１の装置は、無線ネットワーク（例えば、ＰＣＰ１０２）のためのコーディネータ装置でもよい。そして、第２の装置はユーザ装置（例えば、ＳＴＡ１０４ａ−ｄのうちの１つ）でもよい。実施例において、後述するように図４に関して、この要求は、品質ヒストグラム・要求でもよい。なお、実施例は、他の要求・フォーマットを使用してもよい。要求は、一つ以上のこれらの測定のための一つ以上の特性を特定してもよい。例えば、要求は、測定のための特定の指向性の、及びタイミングの特性を示してもよい。指向特性の例は、測定の対象となる特定のリモート装置、及び第２の装置が実行する測定がなされるビームが挙げられる（なお、これらに限定されるものではない）。タイミング特性の例は、測定起動時刻、測定期間、測定期間の間にされる測定の数を含む（なお、これらに限定されるものではない）。
【００１９】
更に、要求は、測定されるタイプがいつなされるかを特定してもよい。例示的な測定タイプには、平均ノイズ及び干渉パワーインジケータ（ＡＮＩＰＩ：Ａｖｅｒａｇｅ  Ｎｏｉｓｅ  ｐｌｕｓ  Ｉｎｔｅｒｆｅｒｅｎｃｅ  Ｐｏｗｅｒ  Ｉｎｄｉｃａｔｏｒ）及び／又は受信信号ノイズインジケータ（ＲＳＮＩ：Ｒｅｃｅｉｖｅｄ  Ｓｉｇｎａｌ  ｔｏ  Ｎｏｉｓｅ  Ｉｎｄｉｃａｔｏｒ）がある。
なお、実施例は、これらに限定されない。
【００２０】
ブロック３０４で、第２の装置は、無線で測定要求を受信する。これに続いてブロック３０６で、第２の装置は、要求に従って、一つ以上の測定を実行する。ブロック３０８で、リモート装置は、無線で、第１の装置に、測定を有する応答（または、測定レポートと呼ぶ）を送る。実施例において、後述するように図５に関して、この応答は、品質ヒストグラムレポートであってもよい。しかしながら、実施例は、他の応答フォーマットを使用してもよい。
【００２１】
第１の装置は、ブロック３１０で応答を受信する。そして、ブロック３１２で、第１の装置は、応答で提供された情報に基づいて、一つ以上のリソース割り当てを行ってもよい。図１に関連して説明したように、これは、ＴＤＭＡフレームの範囲内で一つ以上のタイムスロットを割り当ててもよい。しかしながら、実施例は、ＴＤＭＡメディアアクセス技術に限られない。
【００２２】
図４は、チャネル品質ヒストグラム・フォーマット要求の例示的なフォーマット４００を示すブロック図である。このフォーマットは、複数のフィールドを含む。例えば、規制（ｒｅｇｕｌａｔｏｒｙ）クラスフィールド４０２は、規制されたパラメータ（例えばチャネル周波数、チャネル間隔、電力リミット）に関する情報等を提供する。チャネル番号フィールド４０４は、測定がされることになっているチャネルに関する情報を提供する。実施例は、ＩＥＥＥ８０２．１１−２００７規格の修正版ＩＥＥＥ８０２．１１ｋのアネックスＪに従うフィールド４０２及び４０４のフォーマットを設定してもよい。フィールド４０２及び４０４の各々は、１オクテットでもよい。なお、他のサイズが使用されてもよい。
【００２３】
図４に示すように、フォーマット４００は、ＳＴＡＩＤフィールド４０６及びビームＩＤフィールド４０８を更に含む。これらのフィールドは、ＲＲＭ測定のための指向性のサポートに関連する。
【００２４】
より詳細には、ＳＴＡＩＤフィールド４０６は、ＲＲＭ要求が（例えば、そのＭＡＣアドレスによって）なされるＳＴＡを示す。例えば、測定するＳＴＡがＳＴＡＩＤフィールド４０６によって識別されるＳＴＡによってビーム形成される（ｂｅａｍｆｏｒｍｅｄ）場合、測定は識別されたＳＴＡの方へ指向的に行われる。実施例において、ＳＴＡＩＤフィールド４０６は、ブロードキャストＩＤ（ＢｃａｓｔＩＤ）にセットされてもよい。この場合、測定するＳＴＡは、全ての方向のパターン（ｏｍｎｉ  ｄｉｒｅｃｔｉｏｎａｌ  ｐａｔｔｅｒｎ）で行われる。ＳＴＡＩＤフィールド４０６は、さまざまなフォーマットであってもよい。例えば、実施例で、ＳＴＡＩＤフィールド４０６は、ＳＴＡのＭＡＣアドレスを示す。図４はＳＴＡＩＤ形式識別ＩＤフィールド４０６が大きさにおいて１オクテットでもよいことを示す。そして、一旦それがＰＣＰと結合した場合には、それはＳＴＡによって得られた連結ＩＤ（ａｓｓｏｃｉａｔｉｏｎ  ＩＤ）でもよい。なお、他のタイプのＩＤ及びサイズが使用されてもよい。
【００２５】
ビーム形式識別ＩＤフィールド４０８は、対応する測定要求が適用されるビームを示す。例えば、ソース及び転送先のＳＴＡがそれらの間に複数のビームを有する場合、ビーム形式識別ＩＤフィールド４０８はそれらのうちの１つを識別する。このフィールドの値が０の場合は、この測定のためいかなるビームが用いられてもよいことを示す。図４に示すように、ビーム形式識別ＩＤフィールド４０８は、１オクテットの大きさでもよい。なお、他のサイズが使用されてもよい。
【００２６】
測定方法フィールド４１０は、測定要求を実行する、測定しているＳＴＡによって用いられ、かつ、対応する測定レポートをＰＣＰへレポートする方法を示す。実施例において、ＩＥＥＥ８０２．１１−２００７規格の修正されたＩＥＥＥ８０２．１１ｋにおいて規定されている規約が使用されてもよい。例えば、フィールド４１０が０にセットされた場合、平均ノイズ及び干渉パワーインジケータ（ＡＮＩＰＩ）が指示される。しかしながら、このフィールドが１にセットされた場合、受信信号ノイズインジケータ（ＲＳＮＩ）が指示される。測定フィールド４１０の他の値は、他の指定のために予約されてもよい。測定方法フィールド４１０は、１オクテットの大きさでもよい。なお、他のサイズが使用されてもよい。さらに、実施例は、ＡＮＩＰＩ及びＲＳＮＩに限られない。したがって、実施例において、測定方法フィールド４１０は、他の測定タイプを示してもよい。
【００２７】
測定起動時刻フィールド４１２は、スケジューリングされたアクセスメディアアクセス制御プロトコル（例えば、ＴＤＭＡ）のためのＲＲＭサポートを提供する。ＩＥＥＥ８０２．１１−２００７規格の修正されたＩＥＥＥ８０２．１１ｋにおいて、測定起動時刻は、定められない。むしろ、ＣＳＭＡ／ＣＡメディアアクセス制御プロトコルに適合するランダム化されたインターバルが含まれる。しかしながら、スケジューリングされたメディアアクセス制御プロトコルのために、特定の測定起動時刻フィールドが必要とされる。このように、測定起動時刻フィールド４１２は要求された測定が開始される時刻を示す。実施例において、０の値は、要求された測定が直ちに始まることを示す。測定起動時刻フィールド４１２は、１オクテットの大きさでもよい。なお、他のサイズが使用されてもよい。
【００２８】
測定期間フィールド４１４は、要求された測定の期間を示す。実施例において、この期間は、必須であってもよく、任意であってもよい。図４に示すように、測定期間フィールドは、大きさにおいて２オクテットでもよい。時間ブロック・フィールドの数４１６は、空間再使用及び干渉軽減のために有利である。しかしながら、ＩＥＥＥ８０２．１１−２００７規格の修正版ＩＥＥＥ８０２．１１ｋにおいて現在サポートされていない。具体的には、このフィールドは、全測定期間の中での時間ブロックの数を示す。測定期間と時間ブロックとの数の比（すなわち、測定期間を時間ブロックの数で除算したもの）は、処理される（また、測定単位として扱われる）個々の測定の期間を意味する。図４に示すように、フィールド４１６は、１オクテットの大きさでもよい。なお、他のサイズが使用されてもよい。
【００２９】
上記のフィールドに加えて、フォーマット４００は、任意の情報のサブエレメントを伝達するフィールド４１８（可変的なサイズ）を含んでもよい。ＩＥＥＥ８０２．１１−２００７規格の修正版ＩＥＥＥ８０２．１１ｋに提供されるように、実施例において、このフィールドは同じ規約を使用してもよい。図５は、チャネル品質ヒストグラム・フォーマットレポートの例示的なフォーマット５００を示すブロック図である。このフォーマットは、複数のフィールドを含む。例えば、図４のフィールド４０２及び４０４に関して記載したように、規制クラスフィールド５０２及びチャネル番号フィールド５０４は、情報を提供する。この情報は、ＩＥＥＥ８０２．１１−２００７規格の修正版ＩＥＥＥ８０２．１１ｋのアネックスＪにおいて定義したようにフォーマット化されてもよい。フィールド５０２及び５０４の各々は、１オクテットの大きさでもよい。なお、他のサイズが使用されてもよい。
【００３０】
図４のフィールド４０６及び４０８に関して記載したように、ＳＴＡＩＤフィールド５０６及びビーム形式識別ＩＤフィールド５０８は、測定レポートの指向性の態様を示す。例えば、ＳＴＡＩＤフィールド５０６は測定がなされるＳＴＡを示す。そして、ビームＩＤフィールド５０８は測定を実行するために用いられたビームを示す。図５に示すように、ＳＴＡＩＤフィールド５０６及びビームＩＤフィールド５０８は、大きさにおいて各々１オクテットでもよい。なお、他のサイズが使用されてもよい。
【００３１】
測定方法フィールド５１０、測定起動時刻フィールド５１２、測定期間フィールド５１４及び時間ブロックの数５１６は、図４のフィールド４１０−４１６に関して述べたように使用される。図５は、フォーマット５００が複数の測定フィールドを含むことを示す。
【００３２】
特に、図５は、対応するチャネル品質ヒストグラム・要求で指定されているＮ個の時間ブロックの各々に対応する測定フィールド５１８１−５１８Ｎを示す。測定フィールド５１８１−５１８Ｎの各々は、実際の測定された値（例えば、ＡＮＩＰＩ値又は平均ＲＳＮＩ値）を保持する。上記のフィールドに加えて、フォーマット５００は、任意の情報サブエレメントを伝達するフィールド５１８（可変的なサイズ）を含んでもよい。ＩＥＥＥ８０２．１１−２００７規格の修正版ＩＥＥＥ８０２．１１ｋに提供されるように、実施例において、このフィールドは同じ規約を使用してもよい。
【００３３】
図６は、図１のＰＣＰ１０２及び／又は１０４ａ−ｄの無線デバイスに含まれ得るインプリメンテーション６００のブロック図である。しかしながら、この実施例は、他のコンテクストにおいて使用されてもよい。インプリメンテーション６００は、さまざまなエレメントを含んでもよい。
【００３４】
例えば、図６は、複数のアンテナ６０２ａ−ｃ、送受信モジュール６０４、ホスト・モジュール６０６、測定モジュール６０７、リソース割り当てモジュール６０８を含むインプリメンテーション６００を示す。これらのエレメントは、ハードウェア、ソフトウェア又はそれらのいかなる組み合わせで実施されてもよい。アンテナ６０２ａ−ｃは、リモート装置との無線信号の交換を提供する。
【００３５】
３つのアンテナが表されているが、いかなる数のアンテナが使用されてもよい。また、実施例は一つ以上の送信アンテナ、及び一つ以上の受信アンテナを使用してもよい。かかる複数のアンテナ配列は、ビーム形成のために使用されてもよい。例えば、各アンテナに重みを設定して、複合出力信号が対応するビームを出力するようにしてもよい。
【００３６】
図６に示すように、送受信モジュール６０４は、トランスミッタ部６１０及びレシーバ部６１２を含む。動作の間、送受信モジュール６０４は、アンテナ６０２ａ−ｃと他のエレメント、例えばホスト・モジュール６０６、測定モジュール６０７及び／又はリソース割り当てモジュール６０８、の間のインターフェースを提供する。例えば、トランスミッタ部６１０は、かかるエレメントからシンボルを受信する、かつ一つ以上のアンテナ６０２ａ−ｃによって、無線通信等のための対応する信号を生成する。これは、動作、例えば変調、増幅及び／又はフィルタリングを含んでもよい。なお、他の動作が使用されてもよい。
【００３７】
逆にいえば、レシーバ部６１２は、一つ以上のアンテナ６０２ａ−ｃによって受信される信号を得て、かつ対応するシンボルを生成する。
次に、これらのシンボルは、エレメント、例えばホスト・モジュール６０６、測定モジュール６０７及び／又はリソース割り当てモジュール６０８に提供されてもよい。シンボルのこの生成は、復調、増幅及び／又はフィルタリングを含むが、これらに限定されない。
【００３８】
送受信モジュール６０４によって生成され、かつ受信される信号は、さまざまなフォーマットであってもよい。例えば、これらの信号は、直交周波数分割多重（ＯＦＤＭ）方式又は単一キャリヤ（ＳＣ）方式に従って変調されてもよい。しかしながら、他の方式及びフォーマット（例えば、ＱＰＳＫ、ＢＰＳＫ、ＦＳＫ、その他）が使用されてもよい。
【００３９】
かかる特長を提供するために、トランスミッタ部６１０及びレシーバ部６１２の各々は、各種要素、例えば変調器、復調器、増幅器、フィルタ、バッファ、アップコンバータ及び／又はダウンコンバータを含んでもよい。かかるコンポーネントは、ハードウェア（例えば、電子回路）、ソフトウェア又はいかなるそれらの組み合わせで実施されてもよい。
【００４０】
送受信モジュール６０４と他のエレメントの間で交換されるシンボルは、一つ以上のプロトコルによって、及び／又は一つ以上のユーザアプリケーションによって関連するメッセージ又は情報を形成してもよい。このように、これらのエレメントは、かかるプロトコル及び／又はユーザアプリケーションに対応する動作を実行してもよい。そして、ユーザアプリケーションとしては、電話、メッセージ送信、電子メール、ウェブ・ブラウジング、コンテンツ（例えば、ビデオ及びオーディオ）配布／受信を含む。
【００４１】
さらに、信号を送信及び受信する際、送受信モジュール６０４は、さまざまなアクセス技術を使用してもよい。例えば、送受信モジュール６０４は、スケジューリングされたＭＡＣ技術（例えばＴＤＭＡ）を使用してもよい。なお、実施例は、かかる技術に限定されない。
【００４２】
測定モジュール６０７は、無線リソースの測定を実行してもよい。かかるリソースは、リモート装置、例えばＰＣＰ１０２又はＩＥＥＥ８０２．１１アクセスポイント（ＡＰ）から（送受信モジュール６０４によって）受信される要求に従って特定されてもよい。上述の通り、かかる測定は、（ＡＮＩＰＩを提供するために）平均ノイズと干渉パワー、及び／又は（ＲＳＮＩを提供するために）ノイズインジケータに対する受信信号であってもよい。しかしながら、実施例は、これらの測定に限定されない。このように、他の無線チャネル測定がなされてもよい（例えば、測定は、信号電力、干渉パワー及び／又はノイズ・パワーのいかなる組合せをも含む）。
【００４３】
測定モジュール６０７によってなされる測定は、（例えば、予め定められたシーケンスとの比較によって測定されるビット誤り率に基づいて）送受信モジュール６０４から受信されるハードシンボルからのものであってもよい。また、かかる測定は、受信された無線信号から送受信モジュール６０４によって生成されるソフトシンボルに基づいてもよい。
【００４４】
さらに、かかる測定は、送受信モジュールにより提供される非復調信号から生成されてもよい。加えて、測定モジュール６０７は、かかる測定を示すレポートメッセージを生成してもよい。このレポートは、送受信モジュール６０４によるリモート装置に発信されてもよい。
【００４５】
実施例において、リソース割り当てモジュール６０８は、本願明細書において記載されているリソース割り当て技術を実行してもよい。例えば、受け取った測定に基づいて、割り当てモジュール６０８は、通信リソース（例えば、ＴＤＭＡフレーム内のタイムスロット）の部分を割り当ててもよい。充分な分離が存在する場合にかかる割り当ては、再使用の採用を含んでもよい。かかる分離は、（送受信モジュール６０４を介して）リモート局から受信される測定によって決定されてもよい。割り当ては、制御メッセージによって（送受信モジュール６０４を介して）リモート装置に伝えられてもよい。
【００４６】
本願明細書において記載されているように、各種実施形態はハードウェア要素、ソフトウェア要素、又はいかなるそれらの組み合わせを用いて実施してもよい。ハードウェア要素の例としては、プロセッサ、マイクロプロセッサ、回路、回路素子（例えば、トランジスタ、抵抗器、コンデンサ、インダクター等）、集積回路、特定用途向け集積回路（ＡＳＩＣ）、プログラマブル・ロジック・デバイス（ＰＬＤ）、デジタル信号処理プロセッサ（ＤＳＰ）、フィールドプログラマブルゲートアレイ（ＦＰＧＡ）、論理ゲート、レジスタ、半導体デバイス、チップ、マイクロチップ、チップセット、等を含めることができる。
【００４７】
ソフトウェアの例には、ソフトウェアコンポーネント、プログラム、アプリケーション、コンピュータ・プログラム、アプリケーションプログラム、システムプログラム、機械プログラム、オペレーティングシステムソフトウェア、ミドルウェア、ファームウェア、ソフトウェアモジュール、ルーチン、サブルーチン、機能、方法、手順、ソフトウェアインタフェース、アプリケーション・プログラム・インタフェース（ＡＰＩ）、命令セット、コンピューティング・コード、コンピュータコード、コードセグメント、コンピュータ・コードセグメント、語、値、シンボル又はいかなるそれらの組み合わせをも含めることができる。
【００４８】
例えば、ある実施例は、機械読み取り可読である記憶媒体又は製品を用いて実施されてもよい。記憶媒体には、マシンによって実行される場合、マシンが方法及び／又は動作を実行させる命令又は一組の命令を格納してもよい。かかるマシンは、いかなる適切な処理プラットホームを含んでもよい。例えば、コンピューティング・プラットホーム、コンピューティング装置、処理装置、コンピューティング・システム、処理システム、コンピュータ、プロセッサ、等、そして、ハードウェア及び／又はソフトウェアのいかなる適切な組合せであってもよい。
【００４９】
記憶媒体又は製品は、例えば、記憶装置、メモリ素子、メモリ製品、記憶媒体、記憶装置、記憶製品、記憶媒体及び／又は記憶装置、例えば、メモリ、着脱可能であるか取り外し不可能な媒体、消去可能であるか非消去可能な媒体、書き込み可能であるか再書き込み可能な媒体のいかなる適切なタイプを含んでもよい。また、デジタルまたはアナログの媒体、ハードディスク、フロッピー（登録商標）ディスク、ＣＤ−ＲＯＭ、ＣＤ−Ｒ、ＣＤ−ＲＷ、光ディスク、磁気媒体、光磁気の媒体、着脱可能なメモリーカード又はディスク、様々な形式のＤＶＤ、テープ、カセット、等であってもよい。
【００５０】
命令は、いかなる適切なタイプのコード、例えばソースコード、コンパイル済みコード、インタープリトされたコード、実行可能コード、静的コード、動的なコード、暗号化されたコードを含んでもよい。また、これらは、いかなる適切な高レベル、低レベルの、オブジェクト指向、ビジュアルな、編集された及び／又は、解釈されたプログラミング言語でインプリメントされてもよい。
【００５１】
本発明の各種実施形態を以上の通り記載したが、それらは一例として示されたものであって、かつ限定するためのものでないことを理解すべきである。例えば、本願明細書において記載されている技術は、ＩＥＥＥ８０２．１１ネットワークに限定されない。このように、これらの技術は、他のネットワーク、例えば指向性送信のいかなる組合せを使用するもの、再使用及び／又はスケジューリングされたメディアアクセス技術で使用されてもよい。したがって、さまざまな形及び細部の変更が、発明の精神と範囲から逸脱することなくなされてもよいことは、関連技術の当業者にとって明らかである。このように、本発明の技術的範囲は、上記の例示的実施形態のいずれによっても制限されてはならず、以下の請求項及びそれらの均等物に従ってのみ、定められなければならない。
【図１】
0005571181.tif 000002
【図２】
0005571181.tif 000003
【図３】
0005571181.tif 000004
【図４】
0005571181.tif 000005
【図５】
0005571181.tif 000006
【図６】
0005571181.tif 000007